(57)【要約】関連する簡易無線においては、受信した識別信号の解読結果が誤解読かどうか判定することができなかった。本発明の信号解読装置は、送信元を特定する第１の識別信号を含む制御信号を解読して出力する信号解読部と、第２の識別信号を記憶する記憶部と、第１の識別信号が前記第２の識別信号のいずれとも一致しない場合、第１の識別信号の受信状態を示す指標を元に解読が誤解読かどうかを判定する判定部とを有する。
2015177991.tif 000002
【特許請求の範囲】
【請求項１】
送信元を特定する第１の識別信号を含む無線通信の制御信号を解読して出力する信号解読手段と、
第２の識別信号を記憶する記憶手段と、
前記第１の識別信号が前記第２の識別信号のいずれとも一致しない場合、前記制御信号の受信状態を示す指標を元に前記解読が誤解読かどうかを判定する判定手段
とを有する信号解読装置。
【請求項２】
前記信号解読手段は、前記制御信号の受信レベルを測定し、
前記判定手段は、前記信号解読手段が測定した前記受信レベルを前記記憶手段に記録し、前記受信レベルが一定の値以下の場合、誤解読と判定する
請求項１に記載した信号解読装置。
【請求項３】
前記判定手段は、前記制御信号の出現回数を前記記憶手段に記録し、前記出現回数が一定の値以下の場合、誤解読と判定する
請求項１または２に記載した信号解読装置。
【請求項４】
前記判定手段は、一つの前記制御信号に対し複数回前記受信レベルが測定された場合、最も高い前記受信レベルを前記記憶手段に記憶する
請求項２に記載した信号解読装置。
【請求項５】
送信元を特定する第１の識別信号を含む制御信号を解読して出力し、
第２の識別信号を記憶し、
前記第１の識別信号が前記第２の識別信号のいずれとも一致しない場合、前記制御信号の受信状態を示す指標を元に前記解読が誤解読かどうかを判定する
信号解読方法。
【発明の詳細な説明】
【技術分野】
【０００１】
本発明は、信号解読技術に関し、特に、誤解読を検出する信号解読技術に関する。
【背景技術】
【０００２】
無線従事者を必要としない無線である簡易無線においては、無線機を一意に特定するための番号である識別信号が通信時に無線機から自動で発信される。識別信号にはいくつか種類がある。例えば、９００ＭＨｚ帯の簡易無線であるパーソナル無線では、無線機識別信号（ＡＴＩＳ（Ａｕｔｏｍａｔｉｃ  Ｔｒａｎｓｍｉｔｔｅｒ  Ｉｄｅｎｔｉｆｃａｔｉｏｎ  Ｓｙｓｔｅｍ）信号）が識別信号として用いられる。また、デジタル方式の簡易無線では、ＣＳＭ（Ｃａｌｌ  Ｓｉｇｎ  Ｍｅｍｏｒｙ)が識別信号として用いられる。【０００３】
このような簡易無線に関する技術の一例が特許文献1に記載されている。特許文献１の電波監視装置及び方法、電波監視用プログラムは、周波数チャネル毎に無線局数を計数するものであり、特許文献１に開示される技術は、無線局毎の送信回数、合計送信時間、周波数チャネル利用率を測定することを目的としている。特許文献1によれば、受信情報と無線利用者の関連付けを行うことにより、無線利用者数、及び利用者毎の発射状況が測定される。具体的には、無線通信サービスは予め使用周波数が決まっているため、周波数チャネル毎の無線局数を計数することにより、無線通信サービス毎のユーザー数が詳細かつ容易に把握される。さらに、無線局毎の送信回数、合計送信時間、周波数チャネル利用率を周波数チャネル毎に測定することにより、無線通信サービス毎にユーザーの利用形態を詳細に調査することが可能になる。
【先行技術文献】
【特許文献】
【０００４】
【特許文献１】特開２００７−２０１８３４号公報
【発明の概要】
【発明が解決しようとする課題】
【０００５】
上述した簡易無線においては、受信した識別信号が予め登録されたものでない場合、その原因がビットエラーによる誤解読によるものなのか、無線機に記憶されている識別信号が改ざんされた事によるものなのかを区別することができなかった。これは、受信した識別信号の解読結果が誤解読かどうか判定することができなかったためである。【０００６】
本発明の例示的な目的は、受信した識別信号の解読結果が誤解読かどうか判定することができる信号解読装置および信号解読方法を提供することにある。
【課題を解決するための手段】
【０００７】
本発明の一側面による信号解読装置は、送信元を特定する第１の識別信号を含む制御信号を解読して出力する信号解読部と、第２の識別信号を記憶する記憶部と、第１の識別信号が前記第２の識別信号のいずれとも一致しない場合、制御信号の受信状態を示す指標を元に解読が誤解読かどうかを判定する判定部とを有する。【０００８】
本発明の一側面による信号解読方法は、送信元を特定する第１の識別信号を含む制御信号を解読して出力し、
第２の識別信号を記憶し、
前記第１の識別信号が前記第２の識別信号のいずれとも一致しない場合、前記制御信号の受信状態を示す指標を元に前記解読が誤解読かどうかを判定する。
【発明の効果】
【０００９】
本発明の信号解読装置および信号解読方法によれば、受信した識別信号の解読結果が誤解読かどうか判定することができる。
【図面の簡単な説明】
【００１０】
【図１】本発明の実施形態に係る信号解読装置の構成を示す図である。
【図２】本発明の実施形態の動作を示すフローチャートである。
【発明を実施するための形態】
【００１１】
以下に、図面を参照しながら、本発明の実施形態について詳細に説明する。なお、以下の説明では、同じ機能を有するものには同じ符号をつけ、その説明を省略する場合がある。
【００１２】
（構成）
図１は本発明の実施形態に係る信号解読装置の構成を示す図である。
【００１３】
受信装置３０はアンテナ２と、受信機３と、Ａ／Ｄ変換器４とを有する。アンテナ２は無線通信の制御信号を受信する。アンテナ２は受信機３と接続している。受信機３は制御信号を中間周波数に変換する。受信機３はアンテナ２およびＡ／Ｄ変換器４と接続されている。Ａ／Ｄ変換器４は、アナログ形式の中間周波数をデジタル形式に変換する。Ａ／Ｄ変換器４は、受信機３および信号解読部５と接続されている。
【００１４】
制御信号は、フレーム同期信号、およびデータを少なくとも含む。データは送信元（無線機、無線設備）を一意に特定する番号である識別信号を少なくとも含む。すなわち、制御信号が送信されると識別信号も自動的に送信されている。
【００１５】
信号解読装置１は、信号解読部５と判定部６と記憶部７とを有する。信号解読部５はデジタル形式の中間周波数を解読する。すなわち信号解読部５は制御信号を解読しているとも言える。信号解読部５はＡ／Ｄ変換器４および判定部６と接続している。判定部６は信号解読部５の解読がビットエラー等による誤解読かどうかを判定する。判定部６は信号解読部５および記憶部７と接続されている。記憶部７は識別信号を記憶する。記憶部７は判定部６および入力部８と接続されている。
【００１６】
入力部８は、判定に用いる閾値の入力を受け付ける。入力部８は、閾値が入力された時、その閾値を記憶部７に記憶する。ノウハウある運用者が閾値を決定して入力する事により、精度の高い信号解読を行うことができる。
【００１７】
（作用）
次に、各部の動作について、図２を用いて説明する。図２は本発明の実施形態の動作を示すフローチャートである。
【００１８】
まず、受信装置３０は、制御信号を受信する（ステップＳ１）。より詳細には、アンテナ２が制御信号を受信する。受信機３は制御信号を中間周波数に変換する。Ａ／Ｄ変換器４が、アナログ形式の中間周波数をデジタル形式に変換する。そして、Ａ／Ｄ変換器４はデジタル信号を信号解読部５に入力する。つまり、受信装置３０は電波の形式を変換して信号解読部５に入力しているとも言える。
【００１９】
次に、信号解読部５は、電波中のフレーム同期信号の有無を確認する（ステップＳ２）。
【００２０】
ステップＳ２においてフレーム同期信号が有りの場合、信号解読部５は、制御信号の受信レベルの測定を行う（ステップＳ３）。この段階で、受信した電波に無線通信の制御信号が含まれている事がわかる。
【００２１】
受信レベルの測定を行った後、判定部６は、制御信号中のデータに格納されている識別信号が、記憶部７に記憶されている識別信号と一致するかどうか判定する（ステップＳ４）。
【００２２】
ステップＳ４において一致する場合、判定部６は、制御信号中のデータに格納されている識別信号と記憶部７に記憶されている同一の識別信号とのうち、受信レベルが高い方の受信レベルを、有効値として識別信号に対応付けて記憶部７に記録する（ステップＳ５）。
【００２３】
また、ステップＳ４において一致する場合、判定部６は、識別信号の出現回数を記憶部７に記録させる。この段階で、以前出現した識別信号が再度出現していることになる。このため、例えば、予め出現回数を意味する数値を識別信号毎に対応付けて記憶部７に保存し、この出現回数を意味する数値を１増やす処理を行う、とすることで出現回数を記録することができる（ステップＳ６）。
【００２４】
なお、ステップＳ５とステップＳ６のどちらが先に行われてもよい。また、どちらか片方のみの処理が行われるとしてもよい。
【００２５】
最後に、判定部６は、誤解読かどうかを判定する。より具体的には、識別信号の出現回数が予め設定する閾値以下の場合誤解読と判定する。これは、同一部分で複数回ビットエラーが起きる可能性は低いと考えられることから、複数回出現している識別信号はビットエラーが発生している可能性が低いと類推されるからである。
【００２６】
あるいは、判定部６は、識別信号の受信レベルが予め設定する閾値以下の場合誤解読と判定する。これは、受信レベルが低い場合、ビットエラーが発生する確率が高いと考えられているからである（ステップＳ７）。
【００２７】
ステップＳ２においてフレーム同期信号が無しの場合、処理を終了する。
【００２８】
ステップＳ４において一致しない場合、判定部６は制御信号中のデータに格納されている識別信号と受信レベルとを対応付けた上で記憶部７に記録し（ステップＳ８）、処理を終了する。
【００２９】
以上のように、本実施形態では、事前に制御信号の受信状態を示す指標（識別信号の出現回数または識別信号の受信レベル）の閾値を設定し、制御信号の受信状態を示す指標の測定値が閾値（一定の値）以下の場合、誤解読と判定する。
【００３０】
（効果）
本実施形態によれば、受信した識別信号の解読結果が誤解読かどうか判定することができる。また、無線通信において、受信した識別信号が予め登録されたものでない場合、ビットエラーによる誤解読と、無線機に記憶されている識別信号の改ざんとを区別することができる。
【００３１】
本発明は上記実施形態に限定されることなく、請求の範囲に記載の発明の範囲内で、種々の変形が可能であり、それらも本発明の範囲内に含まれるものであることはいうまでもない。
【００３２】
この出願は、２０１４年５月１９日に出願された日本出願特願２０１４−１０３３６８を基礎とする優先権を主張し、その開示の全てをここに取り込む。
【符号の説明】
【００３３】
１    信号解読装置
２    アンテナ
３    受信機
４    Ａ／Ｄ変換器
５    信号解読部
６    判定部
７    記憶部
８    入力部
３０    受信装置
【図１】
2015177991.tif 000003
【図２】
2015177991.tif 000004
【国際調査報告】
2015177991.tif 000005
2015177991.tif 000006